(57)【要約】      （修正有）【課題】物置等の用具入れの金属製壁面に取り付けるフェンスの取付構造において、簡単に設置可能なフェンスの取付構造を提供する。【解決手段】格子状のフェンス本体１２を金属製壁面に取り付ける構造であって、金属製壁面への吸着面２２を有する永久磁石２１を備えた磁性部材２０の吸着面２２側から当該磁性部材２０の表面２３側に向けて永久磁石２１を貫通して取付ボルト３０を突設し磁性部材２０の表面２３側でフェンス本体１２をナット４０により固定するようにし、フェンス本体１２と磁性部材２０との間に両者の間隔を規制保持するスぺーサ５０が介設され、磁性部材２０の吸着面２２に対応する金属製壁面の内面側に磁性部材２０の磁力を吸着する補強金属板が配置され、磁性部材２０の永久磁石２１の吸着面２２以外の部分が塗装コーティングされた金属板８０で包被されていることを特徴とする。【選択図】図２
0003184320.tif 000002
【実用新案登録請求の範囲】
【請求項１】
格子状のフェンス本体を金属製壁面に取り付ける構造であって、
前記金属製壁面への吸着面を有する永久磁石を備えた磁性部材の前記吸着面側から当該磁性部材の表面側に向けて前記永久磁石を貫通して取付ボルトを突設し前記磁性部材の前記表面側でフェンス本体をナットにより固定するようにした
ことを特徴とするフェンスの取付構造。
【請求項２】
前記フェンス本体と前記磁性部材との間に両者の間隔を規制保持するスぺーサが介設された請求項１に記載のフェンスの取付構造。
【請求項３】
前記磁性部材の前記吸着面に対応する前記金属製壁面の内面側に前記磁性部材の磁力を吸着する補強金属板が配置された請求項１又は２に記載のフェンスの取付構造。
【請求項４】
前記磁性部材の前記吸着面に対応する前記金属製壁面の外面側に当該壁面の損傷を防止するプラスチックシート材が配置された請求項１ないし３のいずれかに記載のフェンスの取付構造。
【請求項５】
前記磁性部材の前記永久磁石の前記吸着面以外の部分が塗装コーティングされた金属板で包被されている請求項１ないし４のいずれかに記載のフェンスの取付構造。
【請求項６】
前記磁性部材の前記永久磁石がネオジウム磁石である請求項１ないし５のいずれかに記載のフェンスの取付構造。
【考案の詳細な説明】
【技術分野】
【０００１】
本考案は、物置等の金属製壁面に取り付けるフェンスの取付構造に関する。
【背景技術】
【０００２】
建築物の断熱性や景観の向上を目的として、建築物の壁面や屋上などに植物を植えて緑化する壁面緑化や屋上緑化が行われている。壁面緑化等建築物の表面を緑化することにより、建築物の表面温度の低下や、夜間の壁面からの放熱が抑えられる。
【０００３】
壁面緑化に使用される植物は蔓性植物が一般的で、蔓を壁面に這わせることにより、壁面を覆い緑化する。壁面緑化の種類には、直接壁面に蔓性植物を登攀させる直接登攀タイプや、壁面の前面に配置されたワイヤーや支柱等の支持具にプランターや地面に植栽された蔓性植物を登攀させる間接登攀タイプ、壁面にフレーム等を設置し植物と植栽基盤を一体化したユニットを装着するユニットタイプ等がある。中でも間接登攀タイプは、管理が容易であり壁面に直接登攀させないため、壁面を傷めることなく簡単に壁面緑化を行うことができ、低コストで導入できることから、広く採用されている。
【０００４】
間接登攀タイプの壁面緑化に用いられる支柱には、例えば、フェンス本体に支持部を下方に突出させ、フェンス本体を格子状に組み合わせて形成し、交差部を回転自在に支持することで伸縮自在に構成されたガーデンフェンス等がある（特許文献１参照。）。このガーデンフェンスは幅方向に伸縮自在であり、支持部を地中に打ち込むことにより立設する。
【０００５】
このようなガーデンフェンスは、簡易に設置することができるため、物置等の冷房施設が備わっていないような用具入れ等の壁面を緑化することにより、内部の温度変化を緩和させることができる。また、フェンスを設置するのみで蔓性植物を登攀させずに、装飾フェンスとして用いることで、景観の向上を図ることができる。
【０００６】
そこで本考案は、特に、冷房施設が備えられていない小型の倉庫や物置等の金属壁面にフェンス本体を簡単に取り付けることができるフェンスの取付構造を提案するに至った。
【先行技術文献】
【特許文献】
【０００７】
【特許文献１】特開２００２−３０９８０５号公報
【考案の概要】
【考案が解決しようとする課題】
【０００８】
本考案は前記の点に鑑みなされたものであり、物置等の用具入れの金属製壁面に取り付けるフェンスの取付構造において、簡単に設置可能なフェンスの取付構造に関する。
【課題を解決するための手段】
【０００９】
すなわち、請求項１の考案は、格子状のフェンス本体を金属製壁面に取り付ける構造であって、前記金属製壁面への吸着面を有する永久磁石を備えた磁性部材の前記吸着面側から当該磁性部材の表面側に向けて前記永久磁石を貫通して取付ボルトを突設し前記磁性部材の前記表面側でフェンス本体をナットにより固定するようにしたことを特徴とするフェンスの取付構造に係る。
【００１０】
請求項２の考案は、前記フェンス本体と前記磁性部材との間に両者の間隔を規制保持するスぺーサが介設された請求項１に記載のフェンスの取付構造に係る。
【００１１】
請求項３の考案は、前記磁性部材の前記吸着面に対応する前記金属製壁面の内面側に前記磁性部材の磁力を吸着する補強金属板が配置された請求項１又は２に記載のフェンスの取付構造に係る。
【００１２】
請求項４の考案は、前記磁性部材の前記吸着面に対応する前記金属製壁面の外面側に当該壁面の損傷を防止するプラスチックシート材が配置された請求項１ないし３のいずれかに記載のフェンスの取付構造に係る。
【００１３】
請求項５の考案は、前記磁性部材の前記永久磁石の前記吸着面以外の部分が塗装コーティングされた金属板で包被されている請求項１ないし４のいずれかに記載のフェンスの取付構造に係る。
【００１４】
請求項６の考案は前記磁性部材の前記永久磁石がネオジウム磁石である請求項１ないし５のいずれかに記載のフェンスの取付構造に係る。
【考案の効果】
【００１５】
請求項１の考案に係るフェンスの取付構造は、格子状のフェンス本体を金属製壁面に取り付ける構造であって、前記金属製壁面への吸着面を有する永久磁石を備えた磁性部材の前記吸着面側から当該磁性部材の表面側に向けて前記永久磁石を貫通して取付ボルトを突設し前記磁性部材の前記表面側でフェンス本体をナットにより固定するようにしたことから、直接金属製壁面に簡単に装着することができる。
【００１６】
請求項２の考案は、請求項１において、前記フェンス本体と前記磁性部材との間に両者の間隔を規制保持するスぺーサが介設されたことから、フェンス本体に蔓性植物の蔓を絡ませやすい。
【００１７】
請求項３の考案は、請求項１又は２において、前記磁性部材の前記吸着面に対応する前記金属製壁面の内面側に前記磁性部材の磁力を吸着する補強金属板が配置されたため、金属製壁内に磁力を透過させないため、壁内部に磁力の影響を与えることがない。
【００１８】
請求項４の考案は、請求項１ないし３において、前記磁性部材の前記吸着面に対応する前記金属製壁面の外面側に当該壁面の損傷を防止するプラスチックシート材が配置されたため、金属製壁面表面の損傷を抑えることができる。
【００１９】
請求項５の考案は、請求項１ないし４において、前記磁性部材の前記永久磁石の前記吸着面以外の部分が塗装コーティングされた金属板で包被されているため、風雨等による金属板の錆を防ぐことができるとともに、磁性部材の吸着面側への吸着力を強めることができる。
【００２０】
請求項６の考案は、請求項１ないし５において、前記磁性部材の前記永久磁石がネオジウム磁石であることから、フェンス本体を少ない磁性部材で取り付けが可能である。
【図面の簡単な説明】
【００２１】
【図１】本考案の一実施例に係るフェンスの取付構造により金属壁面にフェンスを取り付けた状態を示す斜視図である。
【図２】図１の実施例に係るフェンスの取付構造を示す分解斜視図である。
【図３】図１の実施例によりフェンスを金属製壁面に取り付けた状態を示す断面図である。
【考案を実施するための形態】
【００２２】
図１は本考案のフェンスの取付構造を緑化フェンスとして使用した実施例を示す。フェンスの取付構造１０により取り付けられたフェンス１１は、物置や倉庫等の用具入れＢやトタン等の金属製壁面Ｗにフェンス本体１２に固定された磁性部材２０により吸着して固定される。フェンス１０の下部に配置されたプランターＰ等に植栽された蔓性植物Ｃの蔓をフェンス本体１２に絡ませることにより、当該壁面を緑化する。
【００２３】
なお、フェンス本体１２の格子の大きさや形状等はそのデザイン性を鑑み、適宜決定されるのがよい。例えば、フェンスの交差部を可動自在な支持部により支持するフェンスとすれば、交錯する角度や形状等自由に選択することができ、また、収納時に畳むことができ収納スペースを小さくすることができる。フェンス本体１２の形状やフェンス本体１２を形成する部材の重量などを勘案し、磁性部材２０を取り付ける位置や数量等が決定される。
【００２４】
本考案のフェンスの取付構造１０は、格子状のフェンス本体１２を金属製壁面Ｗに取り付ける構造である。図２に示すように、金属製壁面Ｗへの吸着面２２を有する永久磁石２１を備えた磁性部材２０は厚さ方向に貫通孔２５が形成されている。磁性部材２０の金属製壁面Ｗに吸着する吸着面２２側から当該磁性部材２０のフェンス本体１２側である表面２３側に向けて取付ボルト３０が突設し、磁性部材２０の表面２３側でフェンス本体１２をナット４０により固定してなる。取付ボルト３０とナット４０によりフェンス本体１２と磁性部材２０を強固に結合できることから、風や重量などでフェンス本体１２が外れる恐れが小さくなる。なお、磁性部材２０は金属製壁面Ｗに吸着することから、取付ボルト３０の頭部３１は突出しないように貫通孔２５が形成される。
【００２５】
磁性部材２０により金属製壁面Ｗにフェンス１１を吸着させて固定することから、金属製壁面Ｗに穴等を開けることなく脱着が可能となる。このことから、取り付けに要する手間が少なく、容易に景観の向上を図ることができる。また、取り付けに工具等が必要とならないため、フェンス１１の取り付け時に怪我をする危険性が小さくなる。
【００２６】
また、図２に示すように、フェンス本体１２と磁性部材２０の間には金属板８０とスペーサ５０を配置することができる。金属板８０は、磁性部材２０の永久磁石２１の吸着面２２以外の部分を包被する。これにより、磁性部材２０の磁力方向が吸着面２２側に収束されるため、金属製壁面Ｗ側への磁力が強くなり、金属製壁面Ｗとの吸着がさらに強固となる。さらに、金属板８０は塗料等により塗装コーティングされていることから、風雨等による金属板８０の錆の発生等が抑制される。図に示す例に限らず、吸着面２２以外の全ての面を包被することにより、磁性部材２０の錆や劣化等が生じにくくすることができる。
【００２７】
スペーサ５０は、フェンス本体１２と磁性部材２０との間に介設され、フェンス本体１２と磁性部材２０との間隔を規制保持することにより、金属製壁面Ｗとフェンス本体１２との距離を調整する。任意の厚みのスペーサ５０を配置することにより壁面との距離を任意に選択することができるため、蔓性植物の蔓をフェンス本体１２に絡ませやすく、また、葉の大きい植物や実が生る植物など植栽する植物の選択は自由となる。スペーサ５０の形状は任意であり、例えばＵ字状のスペーサとし、スペーサを組立後にも取り替え可能とすることにより、より簡単に金属壁面とフェンス本体との距離を選択することができる。
【００２８】
フェンス本体１２及び金属板８０、スペーサ５０は磁性部材２０と同様に、取付ボルト３０が貫通する貫通穴（１５，８５，５５）が形成される。金属製壁面Ｗ側から順に、磁性部材２０、金属板８０、スペーサ５０、フェンス本体１２の順に配置され、磁性部材２０の吸着面２２側から表面２３側に向けて取付ボルト３０が貫通する。取付ボルト３０は、フェンス本体１２の外側まで貫通孔（２５，８５，５５，１５）を貫通し、ナット４０により固定される。取付が容易であるため、簡単に組み立てることができる。
【００２９】
図３に示すように、磁性部材２０の吸着面２２に対応する金属製壁面Ｗの外面ｗ２側にはプラスチックシート材７０が配置されている。磁石の滑り荷重は、被吸着物の表面粗さや摩擦係数により変化し、吸着力のおよそ２０〜３０％であるため、横滑りしやすい。フェンス本体１２の重みや風等により磁性部材２０が横滑りを起こすと、壁面に擦り傷などが生じてしまう。そこで、プラスチックシート材７０を吸着面２１と金属製壁面Ｗとの間に介在させることにより、壁面の損傷を防ぐことができる。
【００３０】
また、磁性部材２０の吸着面２２に対応する金属製壁面Ｗの内面ｗ１側には補強金属板６０が配置されている。金属製壁面Ｗの内面ｗ１側に補強金属板６０を配置することにより、金属製壁面Ｗを透過した磁性部材２０の磁力を内部まで透過させにくくすることができる。これにより、物置等の内部に載置された物品に対する磁力の影響を抑制することができる。
【００３１】
さらに、磁性部材２０の永久磁石２１をネオジウム磁石にすることにより、強力な磁力で金属製壁面Ｗに吸着することができる。これにより、少ない磁性部材２０でフェンス１１の取り付けが可能で、横ズレ等を起きにくくすることができる。さらに、永久磁石２１の全面を塗装コーティングすることにより、永久磁石２１の劣化を防ぎ、長期間繰り返して使うことができるようにすることもできる。
【００３２】
本考案は、フェンス本体に固定された磁性部材により金属製壁面に吸着して取り付けることから、容易に取り付けることができるため、古びた物置や建築物に合わない用具入れ等に設置することで簡単に装飾性を付加して景観の向上を図ることができる。また、本考案のフェンスの取付構造は、実施例に示す緑化フェンスに限らず、装飾フェンスとしても用いることができる。例えば、フェンス本体を意匠性の高いデザインとすることにより、緑化するまでもなく景観の向上を図ることができる。さらに、屋内の陳列棚等にも取り付けることができるため、設置場所が限られず有用である。
【符号の説明】
【００３３】
１０    フェンスの取付構造
１１    フェンス
１２    フェンス本体
２０    磁性部材
２１    永久磁石
２２    吸着面
２３    表面
３０    取付ボルト
４０    ナット
５０    スペーサ
６０    補強金属板
７０    プラスチックシート材
８０    金属板
Ｂ    用具入れ
Ｃ    蔓性植物
Ｐ    プランター
Ｗ    金属製壁面
ｗ１    内面
ｗ２    外面
【図１】
0003184320.tif 000003
【図２】
0003184320.tif 000004
【図３】
0003184320.tif 000005